(57)【要約】      （修正有）【課題】液体容器の中から液体を取り出しても空気部（エアー）が形成されない液体容器を提供する。【解決手段】液体容器１０は、内部空間を包囲するシリンダ状の側壁１１と、側壁の一端側を閉塞するピストン状の底壁１２と、側壁の他端側に設けられる開閉機構２１と、側壁の一端に設けられる。操作部材１８と、底壁１２と操作部材１８を連結して底壁１２を保持する連結部材１７とを備え、内部空間Ｌに液体が充填され、操作部材１８を操作して連結部材１７による操作部材１８と底壁１２の連結を解除することにより、底壁１２が解放されて側壁１１の他端側へ向かって側壁１１内を摺動可能とされる。【選択図】図１
0003225683.tif 000002
【実用新案登録請求の範囲】
【請求項１】
内部空間を包囲するシリンダ状の側壁と、
前記側壁の一端側を閉塞するピストン状の底壁と、
前記側壁の他端側に設けられる開閉機構と、
前記側壁の一端に設けられる操作部材と、
一端が前記操作部材に連結され、他端が前記底壁に連結され、前記底壁を前記側壁の一端側に保持する連結部材とを備え、
前記内部空間に液体が充填され、
前記操作部材を操作して前記連結部材による前記操作部材と前記底壁の連結を解除することにより、前記底壁が解放されて前記側壁の他端側へ向かって前記側壁内を摺動可能とされる、液体容器。
【請求項２】
前記開閉機構は前記側壁の他端に着脱可能に設けられ、
前記開閉機構を取り外し、前記側壁の他端から前記内部空間に液体および気体発生剤の少なくとも一方を投入可能である、請求項１に記載の液体容器。
【請求項３】
前記連結部材の前記一端および前記操作部材には、互いに螺合する雄ねじおよび雌ねじがそれぞれ形成され、
前記操作部材を緩め方向に回転操作することにより、前記操作部材と前記底壁の連結を解除される、請求項１または２に記載の液体容器。
【請求項４】
前記連結部材はシャフトであり、
前記側壁の一端に設けられ、前記シャフトが貫通する貫通孔を有し、前記底壁を覆う底蓋と、
前記底壁および前記底蓋間に縮設されて前記底壁を前記側壁の他方側へ付勢する弾性部材をさらに備える、請求項１〜３のいずれかに記載の液体容器。
【請求項５】
前記底壁の側面には、前記側壁の内壁面に接触して隙間を封止するシール材が設けられる、請求項１〜４のいずれかに記載の液体容器。
【請求項６】
前記操作部材を操作不能に仮止めするストッパをさらに備える、請求項１〜５のいずれかに記載の液体容器。
【考案の詳細な説明】
【技術分野】
【０００１】
本考案は、化粧水等の液体を保存するとともに使用時に少量の液体を取り出すことができる容器に関する。
【背景技術】
【０００２】
昨今の健康ブームにより、活性水素ないし水素水と称される水素分子（Ｈ２）を含む水の需要が増えている。ところが水素は容器から漏出し易く、化学的に不安定であるため、工場で水素分子を溶存する水を容器に充填して出荷し、店頭で販売しても、使用者（エンドユーザ）の手元に届く頃には容器内の水素が少なくなってしまう。このため十分な水素を使用者に届けるための技術が求められている。
【０００３】
そこで使用者の操作によって液体容器の中の液体に水素を溶存させる技術が、実用新案登録第３２０９４２５号公報（特許文献１）に提案されている。特許文献１に記載の液体容器は、容器の内部空間の大部分に化粧水や美容水といった液体を貯留しておき、この内部空間の底部に隣接して設けられる小室に、金属マグネシウムを含むセラミックボールを保持しておき、これら液体と小室を内蓋で隔てておく。使用者が液体の使用を開始する際に、内蓋を開く、そうすると液体がセラミックボールと反応して、水素を含むというものである。このとき生じる化学反応は以下のとおりである。
［化１］
Ｍｇ＋２Ｈ２Ｏ→Ｍｇ（ＯＨ）２＋Ｈ２
【先行技術文献】
【特許文献】
【０００４】
【特許文献１】実用新案登録第３２０９４２５号公報
【考案の概要】
【考案が解決しようとする課題】
【０００５】
特許文献１に第１実施形態として記載される液体容器にあっては、液体容器の使用開始時に該液体が十分な濃度の水素を含む。しかしながら［化１］の反応終了後、水素の濃度が徐々に低下する。
【０００６】
この理由として、以下のことが考えられる。第１に、液体容器の中の液体を使用するにつれて、容器内部の液面が低下し、代わりに空気部（エアー）が容器内部を占める割合が大きくなる。液体中の水素分子は、液体から空気部（エアー）へ移る。
【０００７】
第２に、液体容器上端の取り出し口から取り出されて使用・消費される液体は少量であるため、液体容器の使用開始時から長い時間が経ってしまい、液体容器の中の液体を使い切るのに時間がかかる。
【０００８】
本考案者は、液体容器の中を液体で常時充満させておけば、水素等、液体に含まれる気体の濃度低下を防止できることに気づいた。そして新規なエアーレス容器を開発するに至った。
【課題を解決するための手段】
【０００９】
本考案による液体容器は、内部空間を包囲するシリンダ状の側壁と、当該側壁の一端側を閉塞するピストン状の底壁と、側壁の他端側に設けられる開閉機構と、側壁の一端に設けられる操作部材と、一端が操作部材に連結され、他端が底壁に連結され、底壁を側壁の一端側に保持する連結部材とを備え、内部空間に液体が充填され、操作部材を操作して連結部材による操作部材と底壁の連結を解除することにより、底壁が解放されて側壁の他端側へ向かって側壁内を摺動可能とされる。
【００１０】
かかる本考案によれば、使用者は液体容器の使用開始時に、自らの手で、操作部材を操作して底壁を解放するとよい。解放された底壁は、液体の減少に応じて、上側へ摺動することができる。そうすると液体容器の使用中、液体を取り出すと取り出した容積を埋めるように、ピストン状の底壁が摺動する。したがって内部空間に空気部が形成されず、水素分子等の溶存気体が液体から空気部へ移動することがなく、空気部が気体を伴って液体容器の外に出ることを防止できる。水素分子は、液体に溶存した状態を保たれる。本考案によれば、水素分子等の気体が抜け出しにくいエアーレス液体容器が実現する。
【００１１】
本考案の好ましい実施形態として開閉機構は側壁の他端に着脱可能に設けられ、開閉機構を取り外し、側壁の他端から内部空間に液体および気体発生剤の少なくとも一方を投入可能である。
【００１２】
かかる実施形態によれば、液体容器を工場で組み立て・出荷するときから液体容器の使用者に届くまでの間、液体容器の中に水素分子等の気体が存在しない。そして液体容器の使用開始時に使用者の操作によって初めて液体容器内に水素分子等の気体が生成される。したがって使用者が使用を開始するまで気体発生剤の変質がなく、水素分子等の気体を多く含む初期の液体を使用者に届けることができる。なお、開閉機構は特に限定されない。開閉機構は例えば、液体取り出し口としてのノズルおよびこのノズルを開閉する機構である。一例として、容器内部には気体発生剤のみが予め入れられており、使用者は使用開始時に液体を容器内部に注ぎ入れるとよい。あるいは反対に、容器内部には液体のみが予め充填されており、使用者は使用開始時に気体発生剤を容器内部に投入するとよい。あるいは容器の内部空間は空であり、使用者は使用開始時に気体発生剤および液体を容器内部に投入するとよい。
【００１３】
本考案の好ましい実施形態として、連結部材の一端および操作部材には、互いに螺合する雄ねじおよび雌ねじがそれぞれ形成され、操作部材を緩め方向に回転操作することにより、操作部材と底壁の連結を解除される。かかる実施形態によれば、簡易な構造によって、底壁の保持と、底壁の解放を実現することができる。他の実施形態として、連結部材の他端および底壁には、互いに螺合する雄ねじおよび雌ねじがそれぞれ形成され、操作部材を緩め方向に回転操作することにより、連結部材と底壁の連結を解除するよう構成されてもよい。
【００１４】
本考案の好ましい実施形態として、連結部材はシャフトであり、側壁の一端に設けられてシャフトが貫通する貫通孔を有し底壁を覆う底蓋と、底壁および底蓋間に縮設されて底壁を側壁の他方側へ付勢する弾性部材をさらに備える。かかる実施形態によれば、弾性部材により、底壁が常に他端側へ押されることから、空気部（エアー）の発生を確実に防止できる。
【００１５】
本考案の好ましい実施形態として、底壁の側面には、側壁の内壁面に接触して隙間を封止するシール材が設けられる。かかる実施形態によれば、底壁と側壁の隙間から液体が漏れ出すことを確実に防止できる。
【００１６】
本考案の一実施形態として、操作部材を操作不能に仮止めするストッパをさらに備える。かかる実施形態によれば、操作部材が不用意に操作されることを防止できる。ストッパは特に限定されないが、例えば液体容器をシュリンク包装するフィルムであり、あるいは底壁の外周および操作部材の外周に跨るよう巻き付く粘着テープである。
【考案の効果】
【００１７】
このように本考案によれば、液体容器の使用開始前までは底壁を側壁の一端側に保持して液体容器の内部空間を最大に拡張しておくことができる。また使用者が操作部材を操作して底壁を解放することにより、液体容器の使用開始後は、使用者が液体容器の中の液体を取り出すと、底壁がせり上がり、容器内部に空気部（エアー）が形成されない。本考案のエアーレス容器によれば、液体で満たされた容器の使用開始時から、液体が無くなって容器の使用が完了するまでの間、空気部（エアー）が容器内部に形成されず、容器内部から水素分子等の気体が抜け出しにくくなる。
【図面の簡単な説明】
【００１８】
【図１】本考案の一実施形態になる液体容器の使用前の状態を示す縦断面図である。
【図２】同実施形態を示す底面図である。
【図３】同実施形態の使用開始状態を示す縦断面図である。
【図４】同実施形態の使用途中状態を示す縦断面図である。
【考案を実施するための形態】
【００１９】
以下、本考案の実施の形態を、図面に基づき詳細に説明する。図１は、本考案の一実施形態になる液体容器の使用前の状態を示す縦断面図である。図２は、第１実施形態を示す底面図である。液体容器１０は、側壁１１と、底壁１２と、シャフト１７と、操作部材１８と、ストッパ１９と、開閉機構２１とを備える。側壁１１と、底壁１２と、シャフト１７と、操作部材１８は、加工し易いアルミニウム等の軽金属製である。
【００２０】
側壁１１は液体容器１０の大部分をなし、一端部から他端部まで延びる筒状体である。また側壁１１はシリンダ状であり、側壁１１の横断面は、一端部から他端部まで一定である。本実施形態の側壁１１は横断面が円形である。側壁１１の中には底壁１２が配置される。底壁１２はピストン状の円形部材であり、側壁１１の内部を摺動する。底壁１２の外周面には周溝１２ｒが形成され、周溝１２ｒに嵌合するシール材１５が設けられる。シール材１５は、側壁１１の内壁面と摺接し、側壁１１と底壁１２の環状隙間を封止する。
【００２１】
底壁１２の一端面には凹部１２ｙが形成される。底壁１２の他端面には凹部１２ｚが形成される。凹部１２ｙ，１２ｚは、底壁１２の周縁よりも中心部が窪んだ形状にされる。
凹部１２ｚには、小袋状の濾紙２８に封入された粒状の水素発生剤２７が配置される。水素発生剤２７は、例えば水素発生セラミックボールである。水素発生剤２７は人体に無害であり、水（Ｈ２Ｏ）との化学反応によって水素分子を発生させる。濾紙２８は、液体の通過を許容し、水素発生剤２７等の固形物の通過を阻止する。あるいは液体容器１０に要求される用途に応じて、凹部１２ｚには、他の気体発生剤、あるいは他の固形薬剤が配置される。凹部１２ｙの中心には有底の雌ねじ穴１２ｈが穿設される。雌ねじ穴１２ｈにはシャフト１７の他端部に形成される雄ねじ１７ｓが螺合する。
【００２２】
側壁１１の一端部には底蓋３１が嵌合する。底蓋３１は側壁１１の一端部を覆う円形部材であり、側壁１１から取り外されることがない。底蓋３１の側面には環状の段差３１ｇが形成される。段差３１ｇは、他端側へ指向し、側壁１１の一端と当接する。底蓋３１の他端面には、凹部３１ｙが形成される。凹部３１ｙは、底蓋３１の周縁よりも中心部が窪むよう形成された円形状であり、底壁１２一端側の凹部１２ｙと向き合う。凹部１２ｙ，３１ｙ間には弾性部材３２が縮設される。弾性部材３２は例えばコイルスプリングであり、弾性部材３２の一端は凹部３１ｙに保持され、弾性部材３２の一端は凹部１２ｙに保持される。弾性部材３２は、自然長さで、側壁１１の全長と略同じかそれよりも長い。これにより弾性部材３２は、底壁１２を、側壁１１の他端まで押し上げることができる。
【００２３】
底蓋３１の一端面の中心には、凹部３１ｚが形成される。さらに底蓋３１の中心には、凹部３１ｚから凹部３１ｙまで延びる貫通孔３１ｈが形成される。貫通孔３１ｈにはシャフト１７が通され、貫通孔３１ｈから一端側へ突出するシャフト１７の一端部外周には雄ねじ１７ｄが形成される。シャフト１７は一定断面積で真っ直ぐに延びる棒状体である。
【００２４】
底蓋３１よりも一端側には操作部材１８が隣接配置される。操作部材１８の形状は特に限定されないが、例えば円形部材である。操作部材１８の中心部には、底蓋３１に向かって突出する凸部１８ｂが形成される。凸部１８ｂは底蓋３１の凹部３１ｚに収容される。操作部材１８の中心には貫通孔１８ｈがさらに形成される。貫通孔１８ｈは凸部１８ｂを通過し、操作部材１８を貫通する。貫通孔１８ｈの内周面には雌ねじが形成され、かかる雌ねじがシャフト１７一端部の雄ねじ１７ｄと螺合する。
【００２５】
側壁１１と、底蓋３１と、操作部材１８は、それぞれ外径を略同一に形成される。ストッパ１９は例えばテープであり、底蓋３１および操作部材１８に跨って貼付され、操作部材の不用意な回動を防止する。図１に示す液体容器１０の未使用状態で、シャフト１７は、底壁１２と操作部材１８を連結し、底壁１２を側壁１１の一端側に保持する。底壁１２から遠い側にある操作部材１８の一端面１８ｘは、平坦に形成され、側壁１１の軸線（図略）と直交する。したがって使用者は、操作部材１８を下にし、開閉機構２１を上にして、液体容器１０を立ち姿勢で静置することができる。なお操作部材１８はナットで代用可能である。
【００２６】
側壁１１の他端部には開閉機構２１が着脱可能に取付固定される。開閉機構２１は、例えばスプレー機構であり、円形の頂壁２２と、スプレー基部２３と、ストロー２４と、操作頭部２５と、ノズル２６とを有する。
【００２７】
頂壁２２は側壁１１の他端部を覆い、底壁１２とともに側壁１１の内部空間Ｌを密閉する。スプレー基部２３は頂壁２２の中心に設けられ、頂壁２２の他端面から突出する。ストロー２４は、側壁１１の内部に配置され、スプレー基部２３から側壁１１の一端側へ突出する。
【００２８】
操作頭部２５は、スプレー基部２３に摺動可能に取り付けられ、スプレー基部２３に内設されるばね（図示せず）によって図１に示す閉じ位置と、閉じ位置からスプレー基部２３内に後退した取り出し位置（図略）にされる。ノズル２６は液体の取り出し口であって、操作頭部２５の側面に設けられる。
【００２９】
操作頭部２５が閉じ位置にあるとき、開閉機構２１は閉じており、ストロー２４からノズル２６までの経路が閉鎖される。使用者は、ばねの付勢力に抗して操作頭部２５を閉じ位置から取り出し位置に向かって押し込むことができる。操作頭部２５が取り出し位置にあるとき、ストロー２４からノズル２６までの経路が開かれ、側壁１１内部の液体が取り出される。
【００３０】
使用者が操作頭部２５を手の指で押し込むと、開閉機構２１が開かれて、スプレー基部２３で測られる所定量の液体がノズル２６から容器外方へ噴出する。また使用者が操作頭部２５から指を離すと操作頭部２５は閉じ位置に復帰して、開閉機構２１は元どおりに閉じる。
【００３１】
次に液体容器１０の使用方法につき説明する。
【００３２】
液体容器１０は未使用状態で、内部空間Ｌに液体が満たされていない。使用者は初めに、頂壁２２の外周に形成される雄ねじと側壁１１の他端内周に形成される雌ねじ１１ｃの螺合を緩めて開閉機構２１を側壁１１から取り外し、側壁１１の一端を下側にし、側壁１１の他端を上側にして、化粧水、美容液等の液体を注ぎ込み、開閉機構２１で再び内部空間Ｌを密閉する。側壁１１の他端いっぱいまで液体を注ぐことにより、内部空間Ｌに空気部が形成されない。
【００３３】
液体容器１０の内部空間Ｌに化粧水等の液体が保存されると、液体と水素発生剤２７が前述した［化１］の化学反応を起こし、水素分子が液体中に溶存する。
【００３４】
内部空間Ｌを液体で満たした後に使用者は、操作部材１８からストッパ１９を取り外し、操作部材１８を緩め方向に回転させる。そうすると図２に示すように、シャフト１７の一端部の雄ねじ１７ｄと操作部材１８の貫通孔１８ｈの雌ねじとの螺合が解除され、シャフト１７が操作部材１８から分離される。これにより底壁１２は解放されて側壁１１に沿って摺動を許容される。
【００３５】
以降、使用者がノズル２６から液体を取り出すと、取り出された液体の容積に対応して、底壁１２が側壁１１の他端に向かって摺動する。これにより内部空間Ｌには空気部が引き続き形成されず、液体のみが少なくなっていく。弾性部材３２は、底壁１２を他端側へ向かって付勢する。これにより内部空間Ｌは確実にエアーレスにされる。
【００３６】
ところで本実施形態によれば、使用者が最初の使用時に内部空間Ｌの液体と水素分子発生剤２７を反応させて、新鮮な水素分子を液体に付与することができる。したがって液体を使用する使用者に、十分な水素を供給することができる。
【００３７】
また本実施形態によれば、使用者が操作部材１８を緩めることにより、底壁１２が解放され、シリンダ状の側壁１１に沿って摺動可能にされる。したがって使用者が液体容器１０の使用を開始するまでは、内部空間Ｌを空にしておくことができる。
【００３８】
また本実施形態によれば、内部空間Ｌに貯留する液体が弾性部材３２によって常時加圧される。したがって液体に溶解する水素濃度が大気圧と比較して上昇し、液体を使用する使用者に、一層十分な水素を供給することができる。
【００３９】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００４０】
この考案になる液体容器は、美容健康用品において有利に利用される。
【符号の説明】
【００４１】
１１  側壁、      １２  底壁、      １２ｈ  雌ねじ穴、      
１２ｒ  環状溝、      １２ｙ，１２ｚ  凹部、      １５  シール材、      
１７  シャフト、      １７ｄ，１７ｓ  雄ねじ、      １８  操作部材、      
１９  ストッパ、      ２１  開閉機構、      ２２  頂壁、      
２３  スプレー基部、      ２４  ストロー、      ２５  操作頭部、      
２６  ノズル、      ２７  水素発生剤、      ２８  濾紙、      
３１  底蓋、      ３１ｇ  段差、      ３１ｙ，３１ｚ  凹部、      
３２  弾性部材、      Ｌ  内部空間。
【図１】
0003225683.tif 000003
【図２】
0003225683.tif 000004
【図３】
0003225683.tif 000005
【図４】
0003225683.tif 000006